(57)【要約】【課題】電源スイッチの状態が操作により把握し易く、また誤操作を起こしにくい光照射型美容装置を提供する。【解決手段】本発明は、光源から発せられる光を生体表面９に照射することで、この生体表面９の毛を抑毛する光照射型美容装置である。生体表面９に光を照射する光照射部４と、前記光照射部４から光を照射させる光照射スイッチ５４と、前記光照射スイッチ５４による光照射を可能とする照射可能状態と前記光照射スイッチ５４による光照射を不能とする照射不可状態とを切り換える電源スイッチ７８とを備える。照射不可状態から照射可能状態へと切り換えるための時間と、照射可能状態から照射不可状態へと切り換えるための時間とが異なるものである。【選択図】図１
2013111391.tif 000002
【特許請求の範囲】
【請求項１】
光源から発せられる光を生体表面に照射することで、この生体表面の毛を抑毛する光照射型美容装置であって、
生体表面に光を照射する光照射部と、
前記光照射部から光を照射させる光照射スイッチと、
前記光照射スイッチによる光照射を可能とする照射可能状態と前記光照射スイッチによる光照射を不能とする照射不可状態とを切り換える電源スイッチと
を備え、
前記照射不可状態から前記照射可能状態へと切り換えるための時間と、前記照射可能状態から前記照射不可状態へと切り換えるための時間とが異なるものである
ことを特徴とする光照射型美容装置。
【請求項２】
前記電源スイッチは、前記照射不可状態から前記照射可能状態へと切り換えるための時間が、前記照射可能状態から前記照射不可状態へと切り換えるための時間よりも長い時間に設定されたものである
ことを特徴とする請求項１記載の光照射型美容装置。
【請求項３】
前記電源スイッチは、プッシュ式のスイッチにより構成されており、
前記照射不可状態から前記照射可能状態へと切り換えるための時間と、前記照射可能状態から前記照射不可状態へと切り換えるための時間とが、前記プッシュ式のスイッチを押し続けた時間である
ことを特徴とする請求項１又は請求項２のいずれかに記載の光照射型美容装置。
【請求項４】
前記光源を有する光照射部に、隣り合うようにして除毛部が設けられており、
前記除毛部は、前記照射可能状態のときに駆動可能状態となり、前記照射不可状態のときに駆動不可状態となる
ことを特徴とする請求項１乃至請求項３のいずれか一項に記載の光照射型美容装置。
【発明の詳細な説明】
【技術分野】
【０００１】
本発明は、光照射型美容装置に関する。
【背景技術】
【０００２】
従来、光源から発せられる光を生体表面に照射することで、この生体表面の毛を抑毛する光照射型美容装置が知られている（例えば特許文献１参照）。
【０００３】
特許文献１記載の光照射型美容装置は、発光体を発光させる発光スイッチと、発光スイッチとは別に設けられた電源スイッチとを備えている。発光スイッチは、電源スイッチがオンの状態で発光体を発光させることができ、電源スイッチがオフの状態では発光体を発光させることができないよう構成されている。
【先行技術文献】
【特許文献】
【０００４】
【特許文献１】特開２００２−３６０３３６号公報
【発明の概要】
【発明が解決しようとする課題】
【０００５】
ところでこの特許文献１記載の光照射型美容装置の電源スイッチは、オンとオフとの切り替えが、同じ操作で切り換えるものとなっている。このように、電源スイッチの切り替えが、オンとオフとで同じ操作だと、ユーザーが光照射型美容装置の電源スイッチの状態を把握しにくかったり、誤操作を起こしやすい場合があった。
【０００６】
本発明は、上記事情に鑑みてなされたものであり、その目的とするところは、電源スイッチの状態が操作により把握し易く、また誤操作を起こしにくい光照射型美容装置を提供することにある。
【課題を解決するための手段】
【０００７】
本発明の光照射型美容装置は、光源から発せられる光を生体表面に照射することで、この生体表面の毛を抑毛する光照射型美容装置であって、生体表面に光を照射する光照射部と、前記光照射部から光を照射させる光照射スイッチと、前記光照射スイッチによる光照射を可能とする照射可能状態と前記光照射スイッチによる光照射を不能とする照射不可状態とを切り換える電源スイッチとを備え、前記照射不可状態から前記照射可能状態へと切り換えるための時間と、前記照射可能状態から前記照射不可状態へと切り換えるための時間とが異なるものであることを特徴とする。
【０００８】
またこの光照射型美容装置において、前記電源スイッチは、前記照射不可状態から前記照射可能状態へと切り換えるための時間が、前記照射可能状態から前記照射不可状態へと切り換えるための時間よりも長い時間に設定されたものであることが好ましい。
【０００９】
またこの光照射型美容装置において、前記電源スイッチは、プッシュ式のスイッチにより構成されており、前記照射不可状態から前記照射可能状態へと切り換えるための時間と、前記照射可能状態から前記照射不可状態へと切り換えるための時間とが、前記プッシュ式のスイッチを押し続けた時間であることが好ましい。
【００１０】
またこの光照射型美容装置において、前記光源を有する光照射部に、隣り合うようにして除毛部が設けられており、前記除毛部は、前記照射可能状態のときに駆動可能状態となり、前記照射不可状態のときに駆動不可状態となることが好ましい。
【発明の効果】
【００１１】
本発明の光照射型美容装置によれば、電源スイッチの状態が操作により把握し易く、また誤操作を起こしにくくすることができる。
【図面の簡単な説明】
【００１２】
【図１】本実施形態の光照射型美容装置のブロック図である
【図２】本実施形態の美容装置本体の除毛部を前進させた状態の側断面図である。
【図３】本実施形態の美容装置本体の除毛部を後退させた状態の一部を省略した側断面図である。
【図４】（ａ）は本実施形態の光照射型美容装置の平面図であり（ｂ）は側面図である。
【図５】（ａ）は本実施形態の美容装置本体の正面図であり（ｂ）は美容装置本体の側面図である。
【図６】本実施形態のヘッド部の分解斜視図である。
【図７】本実施形態のフレーム部を背面側から見た分解斜視図である。
【図８】図５（ｂ）におけるＡ−Ａ線断面図である。
【図９】本実施形態の光照射ユニットの分解斜視図である。
【図１０】本実施形態の除毛部の詳細を示す要部側断面図である。
【図１１】本実施形態の美容装置本体の分解斜視図である。
【図１２】本実施形態の美容装置本体のヘッド部を省略した斜視図である。
【図１３】本実施形態の開閉シャッター近傍の分解斜視図である。
【図１４】本実施形態の光照射型美容装置の使用状態を示す側面図である。
【発明を実施するための形態】
【００１３】
以下、本発明の実施形態について添付図面に基づいて説明する。なお、説明の便宜上、光照射部４からの光の光軸方向を上下方向（図２中矢印Ｃ）とし、特に生体表面９（図１４参照）側を上側とする。
【００１４】
本実施形態の光照射型美容装置は、人や動物等の生体の皮膚等（以下、生体表面９という）に生えた毛を除去した上で光照射することにより、生体表面９の毛の成長や再生を抑制する（以下、抑毛という）ものである。本実施形態の光照射型美容装置は、図４に示されるように、生体表面９に抑毛処理を施す美容装置本体１と、この美容装置本体１にケーブル７１を介して接続された電源装置７０とを備えている。電源装置７０は、電力を蓄電する蓄電部７２と、美容装置本体１を制御する制御部７３とを備えている。
【００１５】
美容装置本体１は、図２に示されるように、生体表面９から生えた毛を除毛する除毛部３と、生体表面９に光照射を行なう光照射部４とを備えている。本実施形態の美容装置本体１は、把持部１３が設けられた本体部１１と、除毛部３及び光照射部４が収容されたヘッド部とを備えている。ヘッド部は本体部１１に着脱自在に取り付けられている。
【００１６】
美容装置本体１は、その外郭を形成するケーシング１０により主体が構成されている。ケーシング１０は、除毛部３と光照射部４とを内部に収容する。ケーシング１０は、本体部１１の外郭を形成する本体ケーシング２４と、ヘッド部２３の外郭を形成するフレーム部１２とから構成されている。
【００１７】
ケーシング１０は、図５に示されるように、下側程先細り形状となるよう構成されている。ケーシング１０は、側面視において側方に湾曲した半円弧状に形成されている。ケーシング１０には、除毛部３が径内側に配置され、光照射部４が径外側に配置される。本体ケーシング２４は、下端部に設けられた把持部１３を有している。把持部１３は、ユーザーが片手で把持可能な程度の外径にて構成されている。フレーム部１２は、本体ケーシング２４に対して着脱自在に設けられている。
【００１８】
フレーム部１２は、下方が開口した有蓋箱形状となっている。フレーム部１２は、図６に示されるように、光照射部４が取り付けられる光照射部装着部１４と、除毛部３が取り付けられる除毛部装着部１５とを備えている。
【００１９】
光照射部装着部１４は、光照射部４を装着するための部分である。光照射部装着部１４は、上下方向に貫通する平面視長矩形状の取付開口１４１を有している。光照射部装着部１４は、遮光筒部４０を上下動自在に保持する。
【００２０】
光照射部装着部１４は、図６，７に示されるように、光照射部装着部１４と除毛部装着部１５との間に位置する仕切壁１６と、この仕切壁１６に対向する縦壁１７とを備えている。この仕切壁１６と縦壁１７とは、遮光筒部４０の上下移動をガイドする一対のガイド面１８を構成する。このガイド面１８は、遮光筒部４０に設けられたガイド突起４０４の移動を案内するガイド溝１８１を有している。このガイド溝１８１は上下方向に長く形成されている。また光照射部装着部１４は、取付開口１４１の内周縁に、遮光筒部４０に設けられた係合部４０５と係合する被係合部１９を有している。この被係合部１９は、遮光筒部４０を所定の位置から上方へと移動しないよう規制する。
【００２１】
仕切壁１６は、図７に示されるように、フレーム部１２の端面部２２から下方に向けて突設されている。仕切壁１６は、光照射部装着部１４の取付開口１４１の内周縁と面一となるよう設けられている。仕切壁１６は、光照射部４と除毛部３との間に位置しており、除毛部３によりカットされた毛屑が光照射部４側へと進入するのを阻止する。
【００２２】
除毛部装着部１５は、除毛部３を構成するトリマー刃３０を上下動自在に収容する。除毛部装着部１５は、図６に示されるように、上下方向に貫通する取付開口１５１を有している。除毛部装着部１５は、光照射部装着部１４に隣接配置されている。除毛部装着部１５の取付開口１５１は、細長いスリット形状となっている。除毛部装着部１５の取付開口１５１は、その長手方向が光照射部装着部１４の取付開口１４１の長手方向と略平行している。
【００２３】
フレーム部１２は、側面に除毛部３のレバー３１０（詳細は後述する）を装着するためのレバー装着部２０を有している。このレバー装着部２０は、レバー３１０の作動突起３１１を挿入するため内外に貫通した連通孔２１を有している。この連通孔２１は、上下方向に長い長孔により構成されている。レバー装着部２０には、レバー３１０が上下方向にスライド自在に取り付けられる。なお、除毛部３のレバー３１０については後述する。
【００２４】
フレーム部１２は、本体部１１に対して着脱自在に取り付けられる。フレーム部１２は、図８に示されるように、正面視における両側面にそれぞれ設けられた一対の係止部１４２を有している。この係止部１４２は、本体部１１に設けられた被係止部１１２に係脱自在に係合する。本体部１１の被係止部１１２は、外側方に向けて弾性的に付勢された解除部１１１に設けられている。解除部１１がユーザーにより内側に押圧されると、被係止部１１２は係止部１４２との係合状態を解除する。
【００２５】
除毛部３は、生体表面９から生えた毛を切断することで除毛する。本実施形態の除毛部３は、図２，３に示されるように、上下方向に前進後退自在なトリマー刃３０と、このトリマー刃３０を前進後退させる操作手段３１と、トリマー刃３０を駆動させる駆動装置３２とを備えている。
【００２６】
トリマー刃３０は、図６に示されるように、上下方向に直交する方向（正面視左右方向）に長い直線状に形成された櫛状の固定刃３００と、この固定刃３００に沿って配置された櫛状の可動刃３０１とを備えている。可動刃３０１は直線状に形成されている。トリマー刃３０は、固定刃３００と可動刃３０１とが重なるよう配置されており、可動刃３０１が生体表面９側に位置する。トリマー刃３０は、可動刃３０１を固定刃３００側に弾性的に付勢するバネ（図示せず）を有している。またトリマー刃３０は、この可動刃３０１を上方から覆うようにして、固定刃３００の長手方向の全長に亘って設けられたトリマーカバー３０３を有している。バネは、一端がトリマーカバー３０３に固定され、且つ他端が可動刃３０１に当接し、これにより可動刃３０１を固定刃３００側に付勢する。
【００２７】
トリマー刃３０は、固定刃３００と可動刃３０１とトリマーカバー３０３とを支持固定するトリマー基台３０４を備えている。このトリマー基台３０４は、図６に示されるように、フレーム部１２の側面に沿って上下に長く形成されている。トリマー基台３０４は、レバー３１０から突設された作動突起３１１に連結固定される連結部３０５と、トリマー刃３０の長手方向の略中央に設けられて可動刃３０１を固定刃３００に沿って往復移動させる駆動片３０６とを備えている。
【００２８】
本実施形態の連結部３０５は、嵌合孔３０７を有している。また駆動片３０６は、トリマー刃３０の長手方向と平行な方向に揺動するよう構成されており、揺動することで可動刃３０１を長手方向に往復動させる。本実施形態の駆動片３０６は、図１０に示されるような下方に開口した二股状片により構成されている。
【００２９】
本実施形態のトリマー刃３０は、上下方向にスライド移動自在となるよう構成されている。トリマー刃３０は、操作手段３１の上下動に追従してスライド移動する。
【００３０】
操作手段３１は、図６に示されるように、上下方向にスライド自在となるようフレーム部１２に設けられたレバー３１０と、レバー３１０の背面からフレーム部１２内にまで突出した作動突起３１１とを備えている。
【００３１】
レバー３１０は、正面視略矩形状をしており、その前面に指を引っ掛けることができる突条部３１２が設けられている。レバー３１０は、フレーム部１２のレバー装着部２０にスライド自在に取り付けられる。
【００３２】
作動突起３１１は、フレーム部１２のレバー装着部２０に設けられた連通孔２１に挿通され、トリマー基台３０４の連結部３０５に接続される。本実施形態の作動突起３１１は、フレーム部１２の連通孔２１を介して、トリマー基台３０４の嵌合孔３０７に嵌合接続される。
【００３３】
ユーザーがレバー３１０を上方に移動させると、レバー３１０に突設された作動突起３１１が上昇し、それに追従してトリマー基台３０４部が上昇し、これによりトリマー刃３０が前進する（図２参照）。トリマー刃３０が前進端に位置している状態でユーザーがレバー３１０を下方に移動させると、レバー３１０の作動突起３１１が下降し、それに追従してトリマー基台３０４が下降し、これによりトリマー刃３０が後退する（図３参照）。トリマー刃３０が最も後退した位置（死点）では、図３のように、トリマー刃３０の先端が、フレーム部１２の端面部２２と略同レベルか、又はそれよりも低い位置になる。
【００３４】
駆動装置３２は、図１０に示されるように、駆動源となるモータ３２０と、モータ３２０の駆動力を当該駆動片３０６に伝達する揺動機構部３２１とを備えている。また駆動装置３２は、モータ３２０及び揺動機構部３２１を内部に収容するモータ基台部３２６をさらに備えている。モータ３２０は、電源装置７０に電気的に接続されている。モータ３２０は、電源装置７０の制御部７３により駆動制御される。
【００３５】
揺動機構部３２１は、モータ３２０の回転軸とトリマー基台３０４の駆動片３０６との間に設けられる。揺動機構部３２１は、モータ３２０の回転軸に固設される偏芯カム３２２と、略中心がモータ基台部３２６に軸支され且つ偏芯カム３２２によってトリマー刃３０の長手方向と平行な方向に揺動する揺動レバー３２３とを備えている。揺動レバー３２３は、偏芯カム３２２に接続されるカム接続部３２４と、カム接続部３２４とは反対側に位置する作用部３２５とを有している。カム接続部３２４は、下方側及び側方の一方側が開口している。カム接続部３２４は、図１０に示されるように、トリマー刃３０の長手方向と同方向における両端部分が、偏芯カム３２２との当接部となっている。またカム接続部３２４は、当該長手方向に直角な方向（つまり上下方向）において、図１０等に示されるように、偏芯カム３２２との間に間隙を有している。言い換えると、カム接続部３２４は、偏芯カム３２２の上端に対して離間している。
【００３６】
作用部３２５は、トリマー刃３０の駆動片３０６に接続される。作用部３２５は、中心軸３２７廻りに揺動することで、トリマー刃３０の可動刃３０１を往復動させる。なお作用部３２５は、トリマー刃３０が前進端に位置する状態では、図１０のように、当該作用部３２５と二股状の駆動片３０６の股部との間に隙間を有している。これにより、ユーザーがトリマー刃３０を後退させた場合に、トリマー基台３０４が、作用部３２５に邪魔されずに下降することができるようになっている。
【００３７】
モータ基台部３２６は、ケーシング１０内に固設されたファン基台部５１に固設され、モータ３２０をケーシング１０内部に固定する。
【００３８】
モータ３２０が回転すると偏芯カム３２２が回転し、当該偏芯カム３２２が、カム接続部３２４を、トリマー刃３０の長手方向と平行な方向に押圧する。するとカム接続部３２４は中心軸３２７廻りに揺動し、それに追従して、作用部３２５が中心軸３２７廻りに揺動する。作用部３２５は、トリマー基台３０４の駆動片３０６を揺動させ、トリマー刃３０の可動刃３０１を往復動させる。これによりトリマー刃３０は、固定刃３００の長手方向に沿って可動刃３０１を往復動させる。この状態でトリマー刃３０が生体表面９に接触すると、トリマー刃３０は生体表面９から生えた毛を切断する。
【００３９】
このような構成の除毛部３には、光照射部４が隣接配置されている。
【００４０】
光照射部４は、生体表面９に光照射を行うことで生体表面９に対して抑毛効果を及ぼす機能を有している。本実施形態の光照射部４は、美容装置本体１の移動方向に対して、除毛部３の後方側に位置しており、除毛部３により除毛された直後の生体表面９に光照射を行なうことができるよう構成されている。
【００４１】
光照射部４は、図１１に示されるように、上下方向に移動自在な遮光筒部４０と、この遮光筒部４０内に収容され且つ内部に発光体４４を有する光照射ユニット４２とを備えている。
【００４２】
遮光筒部４０は、発光体４４の発光時に、その上端が生体表面９に押し付けられて当該生体表面９と密着することで、発光体４４からの光が外部に漏れるのを防止する。遮光筒部４０は、フレーム部１２の光照射部装着部１４に、上下方向にスライド移動自在に装着される。本実施形態の遮光筒部４０は上方側に付勢されている。遮光筒部４０は、最も下方側に位置した時点で発光体４４を発光させるようになっている。言い換えると遮光筒部４０は、発光スイッチを兼ねる（後に詳述する）。遮光筒部４０は、図１１に示されるように、角筒状に形成されている。遮光筒部４０は上下方向両端に開口を有している。遮光筒部４０は、上方側の開口が照射開口４０２となっている。遮光筒部４０の上端の開口端面は、生体当接面４０１となっている。
【００４３】
遮光筒部４０は、照射開口４０２に透明部材４１が嵌め込まれており、言い換えると照射開口４０２が透明部材４１により覆われている。本実施形態の透明部材４１は、透過率の高い透明な板材により構成されている。透明部材４１は、その上面が、遮光筒部４０の生体当接面４０１よりも凹没している。透明部材４１は、光照射ユニット４２と生体表面９との間に位置する。透明部材４１は、発光体４４からの光により高温となる光照射ユニット４２が生体表面９に接触するのを防止する。また透明部材４１は、除毛部３によりカットされた毛屑が光照射ユニット４２のレンズ４８に付着するのを防止する。
【００４４】
遮光筒部４０は、その側面に内外を貫通する通気連通口４０３が穿設されている。この通気連通口４０３は、冷却装置５としての送風ファン５０から送られた空気を外部に排出するための開口である。通気開口４３２は、図５に示されるように、遮光筒部４０がフレーム部１２に装着されると、遮光筒部４０に外力が付与されない状態（自然状態）では、フレーム部１２の端面部２２よりも上方に位置している。
【００４５】
遮光筒部４０は、図６に示されるように、光照射部装着部１４のガイド面１８のガイド溝１８１内に嵌入するガイド突起４０４が、側方に向けて複数箇所に突設されている。さらに遮光筒部４０は、光照射部装着部１４に設けられた被係合部１９に係合する係合部４０５を有している。
【００４６】
遮光筒部４０は上下方向に往復動自在となっており、下方側の死点（光進行方向に対して後方側に位置する死点）に位置した状態では、生体当接面４０１が、前進端に位置するトリマー刃３０の先端に対し、略同一平面上に位置するようになっている（図１３参照）。
【００４７】
光照射ユニット４２は、図９に示されるように、ケース部４３内に各種部品が内蔵されており、一つのユニットを構成する。光照射部４は、発光体収容部材４３０と底面部材４３１とからなるケース部４３と、このケース部４３内に収容され且つ光源となる発光体４４とを備えている。また光照射部４は、発光体４４から発光された光を生体表面９側へ反射・集光するリフレクター４５と、発光体４４及びリフレクター４５を保持する光源基台部４６とをさらに備えている。さらに光照射部４は、リフレクター４５と光源基台部４６との間に、発光体４４やリフレクター４５を弾性的に保持する弾性部材４７が設けられている。
【００４８】
発光体収容部材４３０は、上下方向に開口する角筒状をした角筒状体により構成されている。発光体収容部材４３０の上方側の開口は、発光体４４からの光を通す照射窓４３３となっている。この照射窓４３３は、長矩形状に形成されている。照射窓４３３は、その開口を塞ぐようにして透明なレンズ４８が設けられている。本実施形態のレンズ４８は、発光体４４から照射される光のうち、紫外線等の不要な波長をカットする光学フィルターの機能も有している。レンズ４８は、光源基台部４６の上方に装着されており、照射窓４３３の外縁の下面に当接した状態で設置されている。
【００４９】
発光体収容部材４３０は、照射窓４３３の外縁部に、ケース部４３内外を貫通する通気開口４３２が穿設されている。本実施形態の通気開口４３２は、照射窓４３３の長手方向に沿って設けられたスリット状の開口であり、後述の送風ファン５０から送られた空気をケース部４３内からケース部４３の外部へ排出する。通気開口４３２から排出された空気は、遮光筒部４０内に送られる。発光体収容部材４３０の下方開口には、底面部材４３１が設置される。
【００５０】
この底面部材４３１は、発光体収容部材４３０の下方の開口を閉塞するよう取り付けられる。底面部材４３１は、送風ファン５０から送風された空気をケース部４３内に導入する格子状の連通孔４３４を有している。この連通孔４３４は、ケース部４３内外を連通するよう貫通している。
【００５１】
発光体４４は、光照射部４の光源である。発光体４４は、直線状で且つ管球状のキセノンフラッシュランプにより構成されている。発光体４４は、その長手方向が、可動刃３０１の往復方向と略平行となるよう配置されている。発光体４４は、長手方向の両端に放電用電極４４１が設けられている。また、発光体４４にはトリガ電極４４２が設けられている。
【００５２】
光照射ユニット４２は、下方に突出する第２の端子４９を有している。第２の端子４９は、本体部１１に設けられた後述の第１の端子２５に電気的に接続される。第２の端子４９は、発光体４４の放電用電極４４１に電気的に接続される放電側端子４９１と、トリガ電極４４２に電気的に接続されるトリガ電圧側端子４９２とを備えている。なお、図中４９３は、第２の端子４９を底面部材４３１に取り付けるための取着片である。
【００５３】
発光体４４は、第１の端子２５及び第２の端子４９を介して本体部１１に接続され、これにより電源装置７０に電気的に接続される。発光体４４は、遮光筒部４０が下方側に押し込まれて死点（すなわち下死点）に至ると、光照射スイッチがＯＮされて高電圧が印加される。発光体４４は、高電圧が印加されると、発光時間の極めて短いパルス光の照射を行なう。また発光体４４は、遮光筒部４０が下方側に移動して死点に位置したままの状態が保持されると、一定の間隔でパルス光を発光し続ける。
【００５４】
リフレクター４５は、断面略Ｕ字状をしており、その開口が照射窓４３３に臨むよう配置されている。リフレクター４５は、発光体４４から発せられた光を高効率で反射・集光し、照射窓４３３に向けて導光する。リフレクター４５には、屈曲した部分の奥部に発光体４４が配置される。
【００５５】
光照射ユニット４２は、図２に示されるように、フレーム部１２内の光照射部装着部１４に装着される。光照射ユニット４２は除毛部３に隣接配置されている。光照射ユニット４２は、除毛部３との間に仕切壁１６が設けられている。光照射ユニット４２は、その上面と遮光筒部４０の生体当接面４０１の裏面との間に、光軸方向における遮光筒部４０の移動代のための間隙８が形成されるよう設置される。この光照射ユニット４２はフレーム部１２に対して固定されているのに対し、光照射ユニット４２を上方から覆う遮光筒部４０は、光軸方向にスライド移動自在となっている。
【００５６】
このような構成の光照射部４の下方側には、当該光照射部４に隣接するようにして冷却装置５が設けられている。
【００５７】
冷却装置５は、光照射部４を冷却するための装置であり、送風ファン５０により構成されている。本実施形態の冷却装置５は、本体部１１の上端部に固設されており、当該本体部１１にフレーム部１２が装着されると、光照射部４に隣接する。冷却装置５は、図１１に示されるように、本体部１１の上開口を覆うよう固設されるファン基台部５１と、このファン基台部５１に固設される送風ファン５０とを備えている。
【００５８】
ファン基台部５１は、図１３に示されるように、基台部本体５２と、当該基台部本体５２の上方から取り付けられる覆設部５３とを備えている。基台部本体５２は、送風ファン５０を収容した状態で覆設部５３が上方から設置される。これにより送風ファン５０は、ファン基台部５１に固定される。
【００５９】
本体部１１にフレーム部１２が装着された状態で送風ファン５０が駆動すると、当該送風ファン５０は、本体部１１の側面に設けられた給気口１１０から空気を導入する。給気口１１０から導入された空気は、送風ファン５０を経て、ケース部４３の連通孔４３４から通気開口４３２へと流通する。このとき流通する空気は、高温となった発光体４４とレンズ４８とに接触しながら流通し、熱交換を行なう。熱交換して熱を受けた空気は、通気開口４３２を介して遮光筒部４０内に流通し、遮光筒部４０の通気連通口４０３を介して外部に排出される。
【００６０】
また本体部１１には、光照射ユニット４２の第２の端子４９に接続される第１の端子２５が設けられている。この第１の端子２５は、放電側端子４９１に接続される放電電圧印加部２５１と、トリガ電圧側端子４９２に接続されるトリガ電圧印加部２５２とを備えている。第１の端子２５は、光照射ユニット４２が設けられたヘッド部２３が本体部１１に取り付けられると、第２の端子４９に接続される。第１の端子２５は、ファン基台部５１に固定されている。第１の端子２５は、電源装置７０に電気的に接続されている。
【００６１】
第１の端子２５は、図１２に示されるように、本体部１１に設けられた凹所２６内に設けられている。凹所２６は上方に開口している。凹所２６は、ファン基台部５１に設けられている。凹所２６は、光照射ユニット４２の第２の端子４９に対応する箇所に設けられている。凹所２６には、光照射ユニット４２の下面から下方に向けて突出した第２の端子４９が挿入される。これにより、本体部１１に光照射ユニット４２が取り付けられると、光照射ユニット４２の第２の端子４９が、凹所２６内に挿入され、第１の端子２５に接続される。
【００６２】
この凹所２６には、第１の端子２５を覆う開閉シャッター２７が設けられている。開閉シャッター２７は、本体部１１からヘッド部２３が取り外されたときに、第１の端子２５を覆う。言い換えると、開閉シャッター２７は、本体部１１から光照射ユニット４２が取り外されると第１の端子２５を覆うよう構成されている。
【００６３】
開閉シャッター２７は、図１３に示されるように、凹所２６を閉塞する閉塞体２７１と、閉塞体２７１の上部に設けられた傾斜面部２７２とを備えている。傾斜面部２７２は、移動方向に対し約４５°傾斜した傾斜面により構成されている。開閉シャッター２７は、この傾斜面部２７２が上方から押圧されることで開放する。開閉シャッター２７は、傾斜面部２７２の斜面の面する方向とは反対側に、コイルバネからなる弾性体２７３が取り付けられている。これにより開閉シャッター２７は、傾斜面部２７２の斜面の向く側に常時付勢されている。
【００６４】
開閉シャッター２７には、ガイド部２７４が設けられている。ガイド部２７４は、開閉シャッター２７を凹所２６の開口縁に沿ってスライド移動させるときのガイドとなる。ガイド部２７４は、閉塞体２７１の下面で且つ閉塞体２７１の移動方向に沿って設けられている。ガイド部２７４は、移動方向とは直角な方向に離間して設けられている。
【００６５】
本実施形態の光照射型美容装置は、光照射ユニット４２の取り外しに連動して、自動的に開閉シャッター２７を閉じるシャッター閉塞機構部２８が設けられている。本実施形態のシャッター閉塞機構部２８は、ガイド部２７４と、開閉シャッター２７を常時閉塞方向に付勢する弾性体２７３とにより構成されている。シャッター閉塞機構部２８は、光照射ユニット４２の第２の端子４９が、凹所２６内に挿入された状態から同凹所２６内から引き出されると、弾性体２７３の弾性力により、開閉シャッター２７を閉じる。
【００６６】
また本実施形態の光照射型美容装置は、開閉シャッター２７を開放させるシャッター開放手段２９を備えている。シャッター開放手段２９は、光照射ユニット４２が近接すると開閉シャッター２７を開放させる。本実施形態のシャッター開放手段２９は、光照射ユニット４２から下方に突出した突出部４９０と、開閉シャッター２７に設けられた傾斜面部２７２とにより構成されている。本実施形態の突出部４９０は、第２の端子４９が兼ねている。
【００６７】
本体部１１にヘッド部２３を取り付けるべく、ヘッド部２３を本体部１１に近接させると、光照射ユニット４２の第２の端子４９が、閉塞状態の開閉シャッター２７の傾斜面部２７２に当接する。その状態でヘッド部２３を押し込むと、第２の端子４９が傾斜面部２７２を押圧し、これにより開閉シャッター２７を開放させる。その後、第２の端子４９が第１の端子２５に接続される。
【００６８】
ファン基台部５１の基台部本体５２には、図１２に示されるように、光照射部４の発光体４４を発光させるための光照射スイッチ５４と、除毛部３の可動刃３０１の駆動を停止させる除毛部用スイッチ５５とが設けられている。言い換えると、光照射スイッチ５４は、光源から光を照射させる。この光照射スイッチ５４と除毛部用スイッチ５５とは、いずれも回路基板５６上に配置されており、当該回路基板５６及びケーブル７１を介して電源装置７０の蓄電部７２及び制御部７３に電気的に接続されている。
【００６９】
ファン基台部５１の覆設部５３には、遮光筒部４０を上方に押圧する一対の押圧片５７が設けられている。この押圧片５７は、遮光筒部４０の押圧突起４０６の下端に当接する当接部５７０と、当接部５７０が下方に押し下げられることで光照射スイッチ５４を押し下げるスイッチ押圧部５７１と、上方側への抜け止めとなる係止爪５７２とを備えている。押圧片５７は、コイルばね５７３により上方側に向けて付勢されている。
【００７０】
遮光筒部４０が下方に移動すると、遮光筒部４０の押圧突起４０６は、付勢力に抗しながら押圧片５７を押下する。さらに遮光筒部４０が押し下げられ、死点にまで到達すると、押圧片５７のスイッチ押圧部５７１が光照射スイッチ５４をＯＮさせる。すると、制御部７３は、発光体４４の放電用電極４４１に高電圧を印加させると共にトリガ電極４４２に高電圧を印加させる。これにより発光体４４はパルス状の光を発光する。また遮光筒部４０は、押圧片５７の付勢力により、上方側へ付勢されているため、生体当接面４０１に生体表面９が当接していない自然状態では、光進行方向前方側の死点に位置する。
【００７１】
さらにファン基台部５１の覆設部５３には、除毛部用スイッチ５５を押下する除毛部押圧片５８が設けられている。この除毛部押圧片５８は、トリマー基台３０４の下端部に押下されることで、除毛部用スイッチ５５を押下する。除毛部押圧片５８は、押圧片５７と同様、コイルばね５７３により上方側に向けて付勢されている。
【００７２】
ユーザーがレバー３１０を下方にスライドさせ、トリマー刃３０を後退させると、トリマー基台３０４は、付勢力に抗しながら除毛部押圧片５８を押し下げる。レバー３１０が最も下方に位置すると、除毛部押圧片５８が除毛部用スイッチ５５を押下し、除毛部３の駆動装置３２を停止させる。
【００７３】
このような構成の美容装置本体１には、ケーブル７１を介して電源装置７０が設けられている。電源装置７０は、外部電源に接続される。
【００７４】
電源装置７０は、美容装置本体１に電力を供給し、また美容装置本体１の電気的な制御を行なう。電源装置７０は、コンデンサー等を含む蓄電部７２と、美容装置本体１を制御する制御部７３とを備えている。本実施形態の光照射型美容装置は、電源装置７０に蓄電部７２と制御部７３とが内蔵されているため、美容装置本体１には電源部や制御部７３が内蔵されていない。これにより美容装置本体１は、ユーザーが扱いやすいようコンパクトな大きさとなっている。
【００７５】
電源装置７０は、図４に示されるように、光照射型美容装置の主電源となる電源スイッチ７８が設けられている。電源スイッチ７８は、制御部７３に電気的に接続されている。本実施形態の電源スイッチ７８は、プッシュ型のスイッチにより構成されている。電源スイッチ７８は、押圧中にのみ押圧信号を制御部７３に出力する自動復帰型のモーメンタリスイッチにより構成されている。なお図中７７は、オンオフ状態を示すＬＥＤからなる電源ランプである。
【００７６】
制御部７３は、図１に示されるように、電源スイッチ７８の押圧時間を計測するタイマー部７４と、設定情報が記憶された記憶部７５と、タイマー部７４による時間情報が入力されると記憶部７５の情報と比較して電源装置のオンオフ制御を行なう比較判断部７６とを備えている。記憶部７５は、例えば不揮発性メモリにより構成されている。
【００７７】
比較判断部７６は、タイマー部７４から電源スイッチ７８の押圧時間情報が入力されると、記憶部７５から設定情報を取得する。比較判断部７６は、タイマー部７４による押圧時間情報と、記憶部７５に記憶された設定情報とを比較し、押圧時間情報が設定情報を超えると、電源装置をオン又はオフに切り換えるよう制御する。
【００７８】
制御部７３は、電源装置７０がオフの状態で電源スイッチ７８が押圧されると、タイマー部７４が電源スイッチ７８の押圧時間を計測する。タイマー部７４は、その情報を比較判断部７６に出力する。比較判断部７６は、タイマー部７４から情報が入力されると、記憶部７５から設定情報（以下、第１の設定情報という）を取得する。比較判断部７６は、第１の設定情報とタイマー部７４からの情報とを比較し、押圧時間が所定の設定時間を超過すると、電源装置７０の電源をオンに切り換えるよう制御する。
【００７９】
一方、制御部７３は、電源装置７０がオンの状態で電源スイッチ７８が押圧されると、タイマー部７４が電源スイッチ７８の押圧時間を計測する。タイマー部７４は、その情報を比較判断部７６に出力する。比較判断部７６は、タイマー部７４から情報が入力されると、記憶部７５から設定情報（以下、第２の設定情報）を取得する。比較判断部７６は、第２の設定情報とタイマー部７４からの情報とを比較し、押圧時間が所定の設定時間を超過すると、電源装置７０の電源をオフに切り換えるよう制御する。
【００８０】
本実施形態の設定時間は、電源装置７０がオフの状態からオンの状態に切り替わる場合、例えば、第１の設定情報として３秒に設定されている。また、電源装置７０がオンの状態からオフの状態に切り替わる場合、例えば、第２の設定情報として０．１秒に設定されている。これにより本実施形態の制御部７３は、電源装置７０がオフの状態で電源スイッチ７８が押圧されると、押圧時間が３秒経過した後に、電源装置７０の電源をオンに切り換えるよう制御する。また制御部７３は、電源装置７０がオンの状態で電源スイッチ７８が押圧されると、押圧時間が０．１秒経過した後に（電源スイッチ７８が押されたすぐ直後に）、電源装置７０の電源をオフに切り換えるよう制御する。
【００８１】
すなわち本実施形態の光照射型美容装置は、電源装置７０の電源がオン状態からオフ状態へと切り換えられる時間と、電源装置７０の電源がオフ状態からオン状態へと切り換えられる時間とが異なる長さとなっている。具体的に本実施形態の光照射型美容装置は、電源装置７０の電源がオン状態からオフ状態へと切り換えるための時間が、電源装置７０の電源がオフ状態からオン状態へと切り換えるための時間よりも長い時間に設定されたものとなっている。
【００８２】
電源スイッチ７８は、電源装置７０をオフ状態とさせることで、美容装置本体１を光照射が不能な状態（以下、照射不可状態という）とさせる。また、電源スイッチ７８は、電源装置７０をオン状態とさせることで、美容装置本体１を光照射が可能な状態（以下、照射可能状態という）とさせる。言い換えると、電源スイッチ７８は、美容装置本体１を照射可能状態とするか、又は美容装置本体１を照射不可状態とするかを切り換える。
【００８３】
制御部７３は、電源装置７０の電源スイッチ７８がオフとなり、美容装置本体１が照射不可状態であると、光照射スイッチ５４が押下されても発光させないよう制御する。また制御部７３は、電源装置７０の電源スイッチ７８がオンとなり、美容装置本体１が照射可能状態であると、光照射スイッチ５４が押下された後に発光体を発光させるよう制御する。
【００８４】
また本実施形態の制御部７３は、除毛部用スイッチ５５に電気的に接続されている。制御部７３は、美容装置本体１について、照射可能状態のときに駆動装置３２を駆動できる状態（以下、駆動可能状態という）とさせる。制御部７３は、美容装置本体１が駆動可能状態にあるときに、除毛部用スイッチ５５から駆動開始の信号が入力されると、モータ３２０を駆動させる。これにより美容装置本体１は除毛部３が駆動する。一方、制御部７３は、美容装置本体１が駆動不可状態にあるときに、除毛部用スイッチ５５から駆動開始の信号が入力されてもモータ３２０を駆動させない。
【００８５】
このように本実施形態の光照射型美容装置は、照射不可状態から照射可能状態へと切り換えるための時間と、照射可能状態から照射不可状態へと切り換えるための時間とが異なるものである。このため本実施形態の光照射型美容装置は、オフにするのとオンにするのとでは、それぞれ操作時間を異ならせることができる。これにより、ユーザーは、電源スイッチ７８の操作により、装置の電源状態が把握し易く、また誤操作を起こしにくくなる。
【００８６】
また本実施形態の光照射型美容装置は、照射不可状態から照射可能状態へと切り換えるための時間が、照射可能状態から照射不可状態へと切り換えるための時間よりも長い時間に設定されている。このため本実施形態の光照射型美容装置は、ユーザーが、照射可能状態に不意に切り替えてしまうのを防ぐことができると共に、照射不可状態には直ぐに切り替えることができる。この結果、例えば子供が安易に電源スイッチ７８を入れることを防ぐことができ、また電源スイッチ７８を切る際には、スイッチを操作した瞬間に電源を切ることができる。このように本実施形態の光照射型美容装置によれば、使い勝手のよい、より安全な装置を提供することができる。
【００８７】
また本実施形態の光照射型美容装置は、除毛部３が、照射可能状態のときに駆動可能状態となり、照射不可状態のときに駆動不可状態となるよう構成されている。このため本実施形態の光照射型美容装置は、電源スイッチ７８をオンオフするだけで、除毛部３の電源をもオンオフさせることができる。
【００８８】
また本実施形態の光照射型美容装置は、除毛部３が、前進後退自在に設けられ且つ可動刃３０１及び固定刃３００を有するトリマー刃３０と、前記トリマー刃３０を前進後退させる操作手段３１とを備えている。このためユーザーは、除毛部３を使用しない場合、トリマー刃３０を後退させて、光照射部４のみを使用することができる。これにより、毛が生えていない生体表面９に対しても、トリマー刃３０を押し当てずに光照射を行なうことができる。
【００８９】
また本実施形態の光照射型美容装置は、死点に位置する光照射部４の前端と、前進端に位置するトリマー刃３０の前端とが略同一平面状に位置するよう構成されている。このため、腕や足などといった生体表面９の面積が広い部分に対して、肌当たりをよくすることができる。しかもユーザーは、除毛しながらの光照射を簡単に行ないやすく、使い勝手が向上する。
【００９０】
なお、本実施形態の光照射部４は、発光体４４にキセノンフラッシュランプが用いられていたが、本発明の光照射部４はこのものに限定されない。
【００９１】
本実施形態の光照型美容射装置は、光軸方向を上下方向として説明したが、本発明においては、上下方向が限定されるものではない。
【００９２】
また本実施形態の光照射型美容装置は、電源スイッチがオフになると蓄電部に蓄電された電流が全て放電される。これにより、不使用時の安全性を確保している。しかしながら、本発明の光照射型美容装置においては、電源スイッチにより光照射部が照射不可状態に切り替わればよい。つまり電源スイッチにより、光照射部が照射不可状態に切り替えられさえすれば、この状態のときに蓄電部への電力の供給を行なってもよい。
【符号の説明】
【００９３】
１      美容装置本体
１１    本体部
１２    フレーム部
２３    ヘッド部
３      除毛部
３０    トリマー刃
３１    操作手段
３２    駆動装置
３２０  モータ
４      光照射部
４０    遮光筒部
４４    発光体
４８    レンズ
５４    光照射スイッチ
５５    除毛部用スイッチ
７０    電源装置
７１    ケーブル
７２    蓄電部
７３    制御部
７４    タイマー部
７５    記憶部
７６    比較判断部
７７    電源ランプ
７８    電源スイッチ
【図１】
2013111391.tif 000003
【図２】
2013111391.tif 000004
【図３】
2013111391.tif 000005
【図４】
2013111391.tif 000006
【図５】
2013111391.tif 000007
【図６】
2013111391.tif 000008
【図７】
2013111391.tif 000009
【図８】
2013111391.tif 000010
【図９】
2013111391.tif 000011
【図１０】
2013111391.tif 000012
【図１１】
2013111391.tif 000013
【図１２】
2013111391.tif 000014
【図１３】
2013111391.tif 000015
【図１４】
2013111391.tif 000016